(57)【要約】【課題】電動送風機をより効率よく冷却できる電気掃除機を提供する。【解決手段】電気掃除機は、電動送風機25を有する。電気掃除機は、電動送風機25が収容されるとともに、この電動送風機25からの排気が、被掃除面に載置された状態での下方に排出される電動送風機室26を有する。電気掃除機は、分離部39を有する。分離部39は、電動送風機25により吸い込んだ塵埃を遠心分離する第１遠心分離部32を備える。分離部39は、第１遠心分離部32の下流側に連通し、電動送風機25の前方および後方に複数配置され、第１遠心分離部32で分離する塵埃よりも小さい塵埃を遠心分離する第２遠心分離部36を備える。電気掃除機は、電動送風機室26の外側部に沿って配置され、第１遠心分離部32と第２遠心分離部36とを連通する連通風路部35を有する。【選択図】図１
2018140233.tif 000002
【特許請求の範囲】
【請求項１】
電動送風機と、
この電動送風機が収容されるとともに、この電動送風機からの排気が、被掃除面に載置された状態での下方に排出される電動送風機室と、
前記電動送風機により吸い込んだ塵埃を遠心分離する第１遠心分離部、および、この第１遠心分離部の下流側に連通し、前記電動送風機の前方および後方に複数配置され、前記第１遠心分離部で分離する塵埃よりも小さい塵埃を遠心分離する第２遠心分離部を備えた分離部と、
前記電動送風機室の外側部に沿って配置され、前記第１遠心分離部と前記第２遠心分離部とを連通する連通風路部と
を具備していることを特徴とした電気掃除機。
【請求項２】
電動送風機室と連通風路部とを区画し、これら電動送風機室と連通風路部とのそれぞれの一部をなす隔壁を具備している
ことを特徴とした請求項１記載の電気掃除機。
【請求項３】
第２遠心分離部は、内部で含塵空気を旋回させる分離筒部を備え、
隔壁は、前記分離筒部と一体に形成されている
ことを特徴とした請求項２記載の電気掃除機。
【請求項４】
電動送風機および第２遠心分離部は、第１遠心分離部の上方に配置されている
ことを特徴とした請求項１ないし３いずれか一記載の電気掃除機。
【発明の詳細な説明】
【技術分野】
【０００１】
本発明の実施形態は、電動送風機が収容された電動送風機室を備える電気掃除機に関する。
【背景技術】
【０００２】
従来、例えば持ち運びながら掃除可能な電気掃除機は、電動送風機および集塵部などを備えた本体部と、この本体部に接続された風路体とを備えている。そして、本体部の把持用のハンドルを把持して電気掃除機全体を持ち運びつつ、電動送風機の駆動により生じた負圧によって塵埃を風路体から集塵部に吸い込んで掃除をする。
【０００３】
一般に、電動送風機は、駆動による自己発熱し、集塵部を経由して吸い込まれた空気が電動送風機の吸入口から流入し内部を流れることで冷却されるが、より効率よく電動送風機を冷却できる構成が望まれている。
【先行技術文献】
【特許文献】
【０００４】
【特許文献１】特開２０１２−１１５６９２号公報
【発明の概要】
【発明が解決しようとする課題】
【０００５】
本発明が解決しようとする課題は、電動送風機をより効率よく冷却できる電気掃除機を提供することである。
【課題を解決するための手段】
【０００６】
実施形態の電気掃除機は、電動送風機を有する。また、この電気掃除機は、電動送風機が収容されるとともに、この電動送風機からの排気が、被掃除面に載置された状態での下方に排出される電動送風機室を有する。さらに、この電気掃除機は、分離部を有する。この分離部は、電動送風機により吸い込んだ塵埃を遠心分離する第１遠心分離部を備える。また、この分離部は、第１遠心分離部の下流側に連通し、電動送風機の前方および後方に複数配置され、第１遠心分離部で分離する塵埃よりも小さい塵埃を遠心分離する第２遠心分離部を備える。そして、この電気掃除機は、電動送風機室の外側部に沿って配置され、第１遠心分離部と第２遠心分離部とを連通する連通風路部を有する。
【図面の簡単な説明】
【０００７】
【図１】一実施形態の電気掃除機の本体部の一部を示す断面図である。
【図２】同上本体部の一部を示す斜視図である。
【図３】同上電気掃除機の保持部の位置で風路体を本体部から取り外した一の使用状態を示す側面図である。
【図４】同上電気掃除機の保持部の位置で風路体を本体部から取り外した他の使用状態を示す側面図である。
【図５】同上電気掃除機の風路体を保持部により本体部に装着した一の使用状態を示す斜視図である。
【図６】同上電気掃除機の一の使用状態を示す側面図である。
【図７】同上電気掃除機の風路体を保持部により本体部に装着した他の使用状態を示す斜視図である。
【図８】同上電気掃除機の風路体を保持部により本体部に装着したさらに他の使用状態を示す斜視図である。
【図９】同上電気掃除機の風路体を保持部により本体部に装着したさらに他の使用状態を示す斜視図である。
【発明を実施するための形態】
【０００８】
以下、一実施形態の構成を図１ないし図９を参照して説明する。
【０００９】
図１ないし図９において、11は電気掃除機を示し、この電気掃除機11は、図５ないし図９に示すように全体を動かしながらスティッククリーナ(アップライトクリーナ)として使用する形態と、図３および図４に示すように一部を持ち運びながらハンディクリーナとして使用する形態とを任意に選択できるものである。
【００１０】
そして、図１ないし図９に示すように、この電気掃除機11は、本体部12と、この本体部12と接続された風路体13とを備え、この風路体13が、保持部14を介して本体部12に対して保持可能となっているとともに、本体部12に本体用ハンドル15が突設され、風路体13に風路体用ハンドル17が突設されている。なお、以下、上下方向は電気掃除機11を被掃除面上に載置した状態を基準とする。すなわち、図３に示す矢印Ｕ方向が本実施形態の上方向、矢印Ｄ方向が本実施形態の下方向となる。
【００１１】
本体部12は、前後方向に沿って長手方向を有する、すなわち前後方向の寸法が左右幅方向および上下方向のそれぞれの寸法よりも大きい本体ケース18と、この本体ケース18の下部に着脱可能な塵埃収容体としてのカップ部である略有底円筒状の集塵カップ19とを備えている。
【００１２】
本体ケース18は、例えば合成樹脂などにより形成されており、前後方向に沿って長手状のケース本体21と、このケース本体21の長手方向の端部である前端部の上部に設けられた保持受部22と、このケース本体21の前端部の下部、すなわち保持受部22の下方に設けられケース本体21から前方に突出する風路体接続部23とを有し、重量物である電動送風機25が電動送風機室26内に収容されているとともに、電動送風機25の動作を制御する図示しない本体制御部、および、重量物である電源部としての電池である二次電池27がそれぞれ収容されている。そして、本体ケース18(ケース本体21)の後部に本体用ハンドル15が一体的に設けられており、この本体用ハンドル15によって、本体部12が把持可能となっている。
【００１３】
ケース本体21の下部には、集塵カップ19を着脱可能な取付開口部31が風路体接続部23の後方の位置に開口されている。この取付開口部31は、上下方向に沿って開口しており、この取付開口部31には、集塵カップ19の本体ケース18(取付開口部31)への装着によりこの集塵カップ19へと内挿されてこの集塵カップ19とともに上流側分離部としての第１分離部である第１遠心分離部32を構成する略円筒状の分離体部33が下方に向けて突設されている。また、この取付開口部31の上方のケース本体21内には、電動送風機室26の外周に、取付開口部31と連通する略円筒状の連通風路部35が区画形成されており、この連通風路部35の外方には、分離体部33(第１遠心分離部32)を通過した空気中に含まれる塵埃、すなわち第１遠心分離部32で分離する塵埃よりも小さい塵埃を分離する下流側分離部としての第２分離部である第２遠心分離部36を構成する略円筒状の分離筒部37が複数設けられている。そして、これら分離筒部37の上部にてケース本体21の内部に、これら分離筒部37(第２遠心分離部36)と連通する風路部38が区画されており、この風路部38が電動送風機25の吸込側と連通している。したがって、第１遠心分離部32から、連通風路部35、第２遠心分離部36、風路部38を介して電動送風機25の吸込側に連通する風路が形成され、第１遠心分離部32と第２遠心分離部36とにより、塵埃を空気から分離する分離部39が構成されている。
【００１４】
第１遠心分離部32は、集塵カップ19の内周面と分離体部33の外周面との間で空気を旋回させることにより、塵埃(粗塵)を遠心分離するものである。したがって、この第１遠心分離部32の旋回流は、上下方向に沿って軸方向を有している。
【００１５】
分離体部33は、上下方向に沿って軸方向を有する円筒状に形成されており、集塵カップ19と同軸(同心)に配置される。この分離体部33は、円筒状の分離体部本体41、この分離体部本体41の内方に同軸状に位置する排気部42、および、分離体部本体41よりも径寸法が大きい円筒状の圧縮部43を軸方向に隣接して備えている。
【００１６】
分離体部本体41は、周囲に開口され連通風路部35と連通する複数の開口44と、これら開口44を覆う分離フィルタ45とを有している。すなわち、分離体部本体41の外部(集塵カップ19の内部)と連通風路部35とが、開口44により連通している。そして、第１遠心分離部32では、この分離体部本体41の外周面と集塵カップ19の内周面との間で空気が旋回するようになっている。
【００１７】
排気部42は、分離体部本体41と一体成形され、この分離部本体41と二重筒状となっている。したがって、この排気部42は、電動送風機25の中心軸に対して略平行な中心軸を有し、実質的に電動送風機25と同軸状に配置されている。
【００１８】
圧縮部43は、シェード部とも呼ばれ、分離体部本体41の下端部に段差状に拡径して連続しており、この分離体部本体41と同軸に配置されている。この圧縮部43は、分離体部本体41の下端部の周囲に上下方向に沿って開口した複数の圧縮開口47と、これら圧縮開口47を覆う圧縮フィルタ48とを有している。そして、分離体部本体41の外周と集塵カップ19の内周との間を旋回する空気の一部が圧縮部43の下端部から圧縮部43の内部を介して圧縮開口47(圧縮フィルタ48)を通過することにより、第１遠心分離部32にて遠心分離した塵埃を圧縮フィルタ48に押し付けて圧縮部43内で圧縮するようになっている。
【００１９】
連通風路部35は、電動送風機室26の前後にそれぞれ上下方向に沿って配置されており、左右両側方向に広がっている。すなわち、この連通風路部35は、電動送風機室26の前部および後部と隣接して、この電動送風機室26の上下方向全体に亘って連続して形成されている。
【００２０】
第２遠心分離部36は、第１遠心分離部32の上方、本実施形態では、この第１遠心分離部32の上端部よりも上方に位置し、分離筒部37の内面に沿って空気を旋回させることにより、塵埃(細塵)を遠心分離するものである。したがって、この第２遠心分離部36の旋回流は、上下方向に沿って軸方向を有している。
【００２１】
各分離筒部37は、連通風路部35(電動送風機室26)の側方の位置に、上下方向に沿って軸方向を有しており、上端部から下端部へと徐々に縮径されている。すなわち、これら分離筒部37(第２遠心分離部36)は、連通風路部35(電動送風機25)と略平行に軸方向を有している。また、各分離筒部37は、集塵カップ19よりも径寸法が小さく設定されている。このため、第２遠心分離部36は、第１遠心分離部32よりも旋回流の流速が速くなるように設定されている。さらに、これら分離筒部37は、連通風路部35(電動送風機25)の前後に複数、例えば３つずつ、それぞれ上方から見て連通風路部35(電動送風機25)の周方向に沿う円弧に沿って略等間隔に離間されて配置されている。したがって、これら分離筒部37(第２遠心分離部36)は、電動送風機25に対して反対側の位置にそれぞれ複数(３つ)ずつ配置されており、電動送風機25の中心軸に対して互いに前後方向に線対称に位置し、この電動送風機25の中心軸を中心として放射状にそれぞれ配置されている。また、この分離筒部37の上端近傍には、連通風路部35と連通してこの分離筒部37内へと接線方向に沿って含塵空気を導く吸込開口部37aが軸方向に対して交差する側方に向けて開口されている。さらに、この分離筒部37の下端部は、集塵カップ19の上部に対向して開口し塵埃を集塵カップ19へと排出する塵埃排出口37bとなっている。そして、この分離筒部37の上端部には、この分離筒部37と同軸状に、塵埃を遠心分離した空気が風路部38へと連通する円筒状の排出筒部49が配置されており、この排出筒部49の下流端である上端部が、分離筒部37内の空気を排出する第２遠心分離部36の排出開口部49aとなっている。さらに、この分離筒部37の電動送風機25(電動送風機室26)側、すなわち連通風路部35側は、この連通風路部35と隔壁部50を介して互いに区画されている。この隔壁部50は、例えば前後方向に長い長円状(楕円状)の断面形状を有する円筒状に形成され、連通風路部35の外側部と分離筒部37の電動送風機25側の部分とをなし、連通風路部35と分離筒部37との壁部を兼ねている。また、この隔壁部50は、各第２遠心分離部36の分離筒部37と同一の材料により一体に成形されている。
【００２２】
風路部38は、本体ケース18のケース本体21内の上部に沿って前後方向に延びて位置しており、各排出筒部49の下流端である排出開口部49aとそれぞれ気密に接続されている。
【００２３】
保持受部22は、第１遠心分離部32の旋回流の軸方向に対して一側方である前方に位置して、ケース本体21の前部に突設されている。この保持受部22は、前方に開口した筒状に形成されており、この保持受部22の内部には、風路体13を本体部12に対して着脱可能に係止する図示しない係合受部が凹設されている。
【００２４】
風路体接続部23は、前後方向および水平方向に沿って軸方向を有する円筒状に形成されており、保持受部22の下方(直下)で、かつ、第２遠心分離部36の旋回流の軸方向に対して一側方である前方に位置してケース本体21の前部に突設されている。すなわち、これら保持受部22と風路体接続部23とは、本体部12の同側方である前方にそれぞれ位置し、かつ、本体部12(本体ケース18)を前側から見て、上下に並んで位置している。また、この風路体接続部23は、集塵カップ19に対して気密に接続される部分であり、この風路体接続部23内には、風路体13および集塵カップ19と気密に接続するための円筒状のシール部61が配置されている。
【００２５】
電動送風機25は、二次電池27からの給電により駆動する電動部25aと、この電動部25aにより回転される遠心ファン25bとを備え、電動部25aにより遠心ファン25bを回転させることで負圧を発生させて集塵カップ19へと塵埃を吸い込む吸込風を形成するものである。この電動送風機25は、ケース本体21(本体ケース18)の前後方向および左右方向の略中央部で、かつ、第１遠心分離部32よりも上方に位置するとともに、電動部25aを下側、遠心ファン25bを上側とし、全体が電動送風機室26に覆われて収容されている。したがって、この電動送風機25は、電動送風機室26内において、遠心ファン25bの上流側に連通する吸込側である吸気口25cを上側、電動部25aの下流側に連通する排気側である図示しない排気口を下側としている。すなわち、この電動送風機25は、第１遠心分離部32(集塵カップ19)の(旋回流の)軸方向と平行な成分、つまり上下方向成分を有するように配置されている。換言すれば、この電動送風機25は、水平方向と異なる方向に沿って配置されており、中心軸(回転軸)が第１遠心分離部32(集塵カップ19)の(旋回流の)中心軸に対して側方から見て鋭角状(好ましくは４５°以下の鋭角状)に交差、またはこの中心軸と同軸な位置となっている。すなわち、この電動送風機25は、第１遠心分離部32(集塵カップ19)に対して上下方向に直列状に並んで配置され、第１遠心分離部32(集塵カップ19)の中心軸の延長上に位置している。また、この電動送風機25は、例えばゴムあるいはエラストマなどの弾性部材により構成された図示しない複数の防振部材を介して周囲が電動送風機室26に対して弾性的に支持されている。そして、この電動送風機25の吸込側(吸気口25c)は、本体部12内の上部近傍に位置して(風路部38を介して)第２遠心分離部36の下流側と連通しているとともに、これら風路部38、第２遠心分離部36および連通風路部35を介して第１遠心分離部32(集塵カップ19)と連通している。
【００２６】
電動送風機室26は、本体部12の本体ケース18の前後方向および左右方向の略中央部に位置しており、この電動送風機室26の前後に連通風路部35を介して分離筒部37が３つずつ配置されている。換言すれば、電動送風機室26(電動送風機25)と分離筒部37との間に連通風路部35が位置している。そして、この電動送風機室26と連通風路部35とは、隔壁64を介して互いに区画されている。また、電動送風機室26の下部の中央部には、電動送風機25の排気側(排気口)と連通する排出開口65が下方に向けて開口されている。すなわち、この排出開口65は、本体部12の本体ケース18の下部に位置しており、分離体部33の内部へと連通している。
【００２７】
隔壁64は、略円筒状に形成され、電動送風機室26と連通風路部35の内側部とのそれぞれの一部をなし、電動送風機室26と連通風路部35の内側部との壁部を兼ねている。すなわち、連通風路部35は、隔壁部50と隔壁64との間に区画されている。また、この隔壁64の外周部の左右両側部は、隔壁部50と一体に連結されている。すなわち、この隔壁64は、隔壁部50および各分離筒部37と同一の材料によりこれら隔壁部50および各分離筒部37と一体成形されている。換言すれば、この隔壁64は、隔壁部50の内方に位置し、この隔壁部50と両側部が一体に連続するように電動送風機25と同軸状に配置されている。このため、これら隔壁64と隔壁部50との強度により、連通風路部35の幅、すなわち電動送風機25(吸気口25c)および連通風路部35と各第２遠心分離部36との距離が一定に保持される。さらに、この隔壁64の外周部の左右方向の中央部には、連通風路部35内の左右方向の中央部に位置して、連通風路部35の補強用の突出部64aがそれぞれ径方向(前後方向)に沿ってリブ状に突設されており、これら突出部64aが隔壁部50と一体に連結されている。そして、この隔壁64は、下端側が排出開口65に向けて徐々に縮径されるようになっており、この排出開口65から電動送風機25の排気を集中して電動送風機室26から排出可能となっている。また、この隔壁64の内周部、すなわち電動送風機室26側には、電動送風機25を下方から重力に抗して支持する支持手段としての複数の支持リブ64bが径方向に沿って中心軸側に向けて突設されている。
【００２８】
本体制御部は、例えばマイコンなどを備えており、電動送風機25を導通角制御して、この電動送風機25を所定の動作モードで動作させたり停止させたりすることが可能となっている。
【００２９】
二次電池27は、電動送風機25、本体制御部、および、風路体13側などへと給電するものであり、図示しない端子を介して外部の充電回路と接続可能で、この充電回路を介して必要に応じて充電可能となっている。そして、この二次電池27は、ケース本体21(本体ケース18)の後端部の位置、すなわち分離部39(第１および第２遠心分離部32，36)の旋回流の軸方向に対して他側方である後方の位置に、上下方向に沿って収容されている。換言すれば、保持受部22および風路体接続部23と二次電池27とは、分離部39(第１および第２遠心分離部32，36(集塵カップ19))を介して本体部12の互いに反対側に位置している。
【００３０】
集塵カップ19は、電動送風機25の駆動により吸い込まれた塵埃を捕集する部分であり、有底円筒状の第１塵埃収容部としての収容部である集塵カップ本体66と、この集塵カップ本体66の前部に突出する導入部67と、この集塵カップ本体66の上部に一体的に設けられた第２塵埃収容部としての細塵受け部68とを備えている。そして、この集塵カップ19の集塵カップ本体66の後部には、この集塵カップ19を本体ケース18(取付開口部31)に対して着脱可能に係止保持する保持手段としてのクランプ70が取り付けられている。
【００３１】
集塵カップ本体66は、例えば導入部67および細塵受け部68とともに、透光性を有する(透明な)合成樹脂などの部材によって一体的に成形されている。この集塵カップ本体66は、集塵カップ19を本体ケース18(取付開口部31)に取り付けた状態で分離体部33の周囲に位置する部分である。すなわち、この集塵カップ本体66は、分離体部33とともに第１遠心分離部32を構成しているとともに、下部がこの第１遠心分離部32で遠心分離された塵埃を溜める塵埃溜め部71となっている。この集塵カップ本体66は、各分離筒部37よりも径寸法が大きく設定されている。また、この集塵カップ本体66の底部には、この集塵カップ本体66と同軸(同心)状に、すなわちこの集塵カップ本体66の中心軸に沿って、排出部としての排気筒部74が一体的に形成されているとともに、この底部の外面部には、複数の導風部であるリブ75がそれぞれ径方向に沿って突設されている。
【００３２】
排気筒部74は、電動送風機25の排気を本体部12の外部へと排出する部分であり、集塵カップ19を本体ケース18(取付開口部31)に取り付けた状態で分離体部33の圧縮部43および分離体部本体41の内部に挿入され、排気部42の下端部に同軸状に気密に接続されてこの排気部42を介して電動送風機室26の下部の排出開口65と気密に接続される。すなわち、この排気筒部74は、電動送風機25の排気側(排気口)と気密に接続されている。換言すれば、電動送風機25の排気側(排気口)と連通する排出開口65が(排気部42を介して)排気筒部74の上流側に気密に接続されている。したがって、排気部42および排気筒部74の外方が電動送風機25の吸込側と連通し、排気部42および排気筒部74の内方が電動送風機25の排気側と連通して、これら吸込側と排気側とが互いに別室となるように区画されている。そして、この排気筒部74の下流端である下端部が、排出開口65と連通して電動送風機25の排気を本体部12の外部へと排出する排気開口76となっている。
【００３３】
リブ75は、排気筒部74から排出された排気を径方向に沿って導くものである。
【００３４】
導入部67は、集塵カップ本体66の上端近傍、すなわち集塵カップ本体66(集塵カップ19)内へと挿入された分離体部33の分離体部本体41(分離フィルタ45)の前方に対向する位置にて、集塵カップ本体66へと含塵空気を導入するもので、集塵カップ19を本体ケース18(取付開口部31)に取り付けた状態で上流端部である前端部がシール部61を介して風路体接続部23の下流側に気密に接続される。そして、この導入部67の下流端である後端部には、含塵空気を集塵カップ本体66(集塵カップ19)内へと導入する吸込口77が集塵カップ本体66の接線方向に沿って開口されている。この吸込口77は、上下方向、すなわち第１遠心分離部32の旋回流の軸方向において分離体部33と略等しい高さ位置に配置されている。したがって、この吸込口77は、電動送風機25よりも下方に位置しており、この電動送風機25の吸気口25cおよび排気口に対して(上下方向に)ずれた位置に配置されている。
【００３５】
細塵受け部68は、集塵カップ19を本体ケース18(取付開口部31)に取り付けた状態で第２遠心分離部36(分離筒部37)の下端部の下部に連通し、第２遠心分離部36で遠心分離された塵埃を溜めるようになっている。この細塵受け部68は、集塵カップ本体66の上端部近傍にて、この集塵カップ本体66の軸方向と交差(直交)する前後方向に沿って延びており、前後方向から見て上側に開口した受け皿状に湾曲されている。
【００３６】
クランプ70は、集塵カップ本体66の後部上端から細塵受け部68の後部の下部に亘って略Ｌ字状に配置されている。
【００３７】
一方、風路体13は、風路体接続部23の上流側である前側に下流側である後側が連通接続された伸縮可能なホース体82と、このホース体82の上流側である前側が連通接続された吸込口体部83と、この吸込口体部83の上流側である前側に対して着脱可能に連通接続されるアタッチメント部84とを有している。そして、この風路体13は、掃除の形態に応じて、本体部12に対して保持部14により保持された状態と、本体部12から保持部14の位置で取り外された状態とで選択的に使用可能である。
【００３８】
ホース体82は、下流側である一端側すなわち後端側が本体部12(風路体接続部23(シール部61))と気密に接続され、上流側である他端側すなわち前端側が保持部14によって保持されて吸込口体部83(アタッチメント部84)と気密に接続されている。したがって、このホース体82は、下流端側が風路体接続部23を介して集塵カップ19(第１遠心分離部32)と連通するとともに、この集塵カップ19、連通風路部35、分離筒部37(第２遠心分離部36)および風路部38をさらに介して電動送風機25の吸込側と連通している。また、このホース体82は、例えば可撓性を有する合成樹脂などにより蛇腹状に形成されて伸縮自在となっており、収縮方向に向けて付勢されている。すなわち、このホース体82は、自然状態(無負荷状態)で最大に収縮した状態となっており、この最大に収縮した状態で、内面の凹凸が密着して平面状となるように形成されている。換言すれば、このホース体82は、外力を加えて両端方向に引っ張った状態(本体部12側に固定されている下流側に対して上流側を引っ張った状態)を維持しているときにのみ伸張するようになっている。
【００３９】
吸込口体部83は、ホース体82の上流端部である前端部に設けられている。この吸込口体部83は、円筒状の吸込口体部本体85と、この吸込口体部本体85と連通しこの吸込口体部本体85の後部の下側に突設された円筒状の接続部86と、吸込口体部本体85の上流端部である前端部に回動可能に配置された清掃部としてのブラシ部87と、この吸込口体部83に対してアタッチメント部84を着脱可能に係止保持する保持クランプ89とを備えている。
【００４０】
吸込口体部本体85は、ホース体82よりも硬質の部材である合成樹脂などにより直管状に形成されており、下流端部である後端部が保持部14と一体的に設けられている。
【００４１】
接続部86は、吸込口体部本体85の軸方向に対して鋭角状に交差する方向に沿って軸方向が傾斜した直管状となって吸込口体部本体85と一体に設けられており、ホース体82の上流端部が挿入されて気密に接続されている。
【００４２】
ブラシ部87は、前端部に清掃部材であるブラシ毛87aを複数備えた環状に形成されており、内縁の両側が吸込口体部本体85の上流端部である前端部の両側部に回動可能に軸支されて、この吸込口体部本体85の軸方向と交差する上下方向に回動可能となっている。
【００４３】
保持クランプ89は、吸込口体部本体85の上部に一部が露出して操作可能となっている。
【００４４】
アタッチメント部84は、掃除の形態に応じて吸込口体部83に対して適宜着脱されるものであり、例えば直管長尺状の延長管91と、この延長管91の上流端である前端に着脱可能な吸込口体としての床ブラシ92とを備えている。
【００４５】
延長管91は、下流端部である後端部に接続口部96を備え、上流端部である前端部に吸込口部97を備えている。接続口部96は、アタッチメント部84(延長管91)を吸込口体部83に接続する際に吸込口体部83の前端部に挿入される部分である。また、吸込口部97は、円筒状の吸込口部本体101と、この吸込口部本体101の上流端部である前端部に回動可能に配置された清掃体部としてのブラシ毛部102と、この吸込口部97に対して床ブラシ92を着脱可能に係止保持するクランプ部104とを備えている。
【００４６】
ブラシ毛部102は、前端部に延長管用清掃部材であるブラシ毛102aを複数備えた環状に形成されており、内縁の両側が吸込口部本体101の上流端部である前端部の両側部に回動可能に軸支されて、この吸込口部本体101の軸方向と交差する上下方向に回動可能となっている。
【００４７】
クランプ部104は、吸込口部本体101の上部に一部が露出して操作可能となっている。
【００４８】
床ブラシ92は、左右幅方向に沿って長手状、すなわち横長のケース体106と、このケース体106の後部に回転可能に接続された回転管107とを備えている。
【００４９】
ケース体106には、被掃除面に対向する下面に図示しない吸込口が開口されている。なお、この吸込口には、回転清掃体としての回転ブラシを配置してもよい。
【００５０】
回転管107は、ケース体106に対して少なくとも軸回り方向に回動可能に軸支されており、吸込口と連通している。なお、この回転管107の後端側(下流端側)は、延長管91の下流端側と略等しい径寸法を有しており、吸込口部97と同様に吸込口体部83に対しても着脱可能となっている。
【００５１】
保持部14は、風路体13の下流端側であるホース体82の下流端部と異なる位置、本実施形態ではホース体82の上流側の吸込口体部83を本体部12(保持受部22)に対して着脱可能とするものであり、吸込口体部83の吸込口体部本体85と一体的に設けられてホース体82に対して並列に分岐する風路体用ハンドル17と、この風路体用ハンドル17の後端部に位置する連結部117と、風路体用ハンドル17に設けられた係止手段としてのクランプ体118とにより構成されている。すなわち、風路体用ハンドル17は、保持部14の一部を構成している。換言すれば、保持部14は、風路体用ハンドル17を兼ねており、風路体13の下流側であるホース体82と異なる位置、本実施形態では、これらホース体82よりも上流側の吸込口体部83と前端側が一体的に設けられている。そして、この保持部14により、風路体13が本体部12に対して、ホース体82よりも上方の位置で着脱可能となっている。
【００５２】
風路体用ハンドル17は、本体部12から保持部14の位置で取り外した風路体13を把持するためのもので、ホース体82よりも硬質の合成樹脂などの部材により形成され、吸込口体部本体85と同軸状に形成されてこの吸込口体部本体85と略一直線上に並んで配置されているとともに、この吸込口体部本体85よりも後方へと突出して前後方向に沿って長手状に延びている。
【００５３】
連結部117は、風路体用ハンドル17の後端部に連続し(保持部14の一端側である後端側に位置し)本体部12の保持受部22に嵌合する部分であり、後方に向けて突出する円筒状の接続凸部122を備えている。この接続凸部122は、保持部14によって風路体13を本体部12に装着する際に保持受部22に挿入されて嵌合される部分である。
【００５４】
クランプ体118は、風路体用ハンドル17の前側の上部に一部が露出して例えば前後方向に沿ってスライド操作可能となっており、接続凸部122の上部に、保持受部22の係合受部に係止される図示しない爪部が露出している。
【００５５】
本体用ハンドル15は、本体部12の後部との間で本体部12の長手方向と交差(直交)する左右方向に開口するように上下方向にループ状に形成されている。すなわち、この本体用ハンドル15は上下方向に沿って形成されている。そして、この本体用ハンドル15の上部には、この本体用ハンドル15を把持した手で使用者が電動送風機25の動作などを設定するための設定ボタン135が互いに前後方向に沿って離間されて複数配置されている。
【００５６】
次に、上記一実施形態の動作を説明する。
【００５７】
電気掃除機11は、例えば、室内の床面などの被掃除面の比較的広い面積を掃除する場合には、図５および図６に示すように、保持部14により風路体13を本体部12に対して保持受部22の位置で装着し、本体用ハンドル15を把持して全体を動かしながら掃除をする。
【００５８】
このとき、集塵カップ19は予め本体ケース18に取り付けておく。すなわち、集塵カップ19を本体ケース18の取付開口部31に位置合わせして本体ケース18側へと押し込むことで、細塵受け部68が第２遠心分離部36(分離筒部37)の下端部に対向して塵埃排出口37bと連通し、分離体部33が集塵カップ本体66内に同軸状に挿入され、排気筒部74が分離体部33内に挿入されて排気部42に気密に接続されてこの排気部42を介して排出開口65と気密に接続されるとともに、導入部67の上流端部である前端部がシール部61を介して風路体接続部23(風路体13)の下流側である後端部に気密に接続された状態で、クランプ70の作用により集塵カップ19が本体ケース18に係止保持される。
【００５９】
また、風路体13は、吸込口体部83の上流端部である前端部に延長管91の接続口部96を挿入接続するとともに、延長管91の吸込口部97の上流端部である前端部に対して床ブラシ92の回転管107を挿入接続する。このとき、保持クランプ89の作用により延長管91が吸込口体部83に気密に接続された状態で係止保持されるとともに、クランプ部104の作用により床ブラシ92が延長管91に気密に接続された状態で係止保持される。
【００６０】
さらに、保持部14においては、図３に示す風路体用ハンドル17の後端部の連結部117を本体部12の保持受部22に対して位置合わせしつつ前方から挿入嵌合することで、接続凸部122が保持受部22に相対的に挿入され、クランプ体118の爪部が係合受部に対して挿入係止されることで、保持部14の位置で風路体13が本体部12に保持される。この状態で、図５および図６に示すように、保持部14の一部をなす風路体用ハンドル17が前後方向に沿って位置し、この風路体用ハンドル17と同軸状の吸込口体部83が前後方向に沿って直管状に位置することにより、風路体13は、床ブラシ92、延長管91(アタッチメント部84)、吸込口体部83および風路体用ハンドル17が略一直線上に位置し、かつ、吸込口体部83から下方に分岐したホース体82の下流端側が、保持部14よりも下方の風路体接続部23にて本体部12に対して接続された状態となる。この結果、保持部14により、ホース体82が上流側から下流側へと、上側から下側に緩やかに屈曲した状態に保形され、風路体13が第１遠心分離部32へと、上下左右に急峻に屈曲することなく基本的に前後方向に沿って略直線状に連通する。このため、風路体13内での圧力損失が少なく、空気および塵埃が内部を通りやすくなる。すなわち、風路体13は、保持部14の位置と、ホース体82の下流端側との位置で、換言すれば上下に並んだ位置でそれぞれ本体部12に対して機械的に接続され、ホース体82の下流端側の位置で風路として連通している。
【００６１】
そして、使用者は、本体用ハンドル15を把持しつつ設定ボタン135を操作することで、本体制御部を介して所望の動作モードで電動送風機25を駆動させる。この電動送風機25の駆動により生じた負圧は、風路部38、第２遠心分離部36、連通風路部35、第１遠心分離部32、導入部67、風路体接続部23(シール部61)、ホース体82、吸込口体部83およびアタッチメント部84を介して床ブラシ92の吸込口に作用するので、使用者は、被掃除面上に載置した床ブラシ92を電気掃除機11全体とともに被掃除面上で前後に交互に走行させながら被掃除面の電動送風機25の負圧の作用によって吸込口から空気とともに塵埃を吸い込む。また、使用者は、必要に応じて、床ブラシ92の回転ブラシを回転駆動させることで、被掃除面の塵埃を掻き取ったり、被掃除面を磨いたりするなどの掃除補助を行う。
【００６２】
このとき、塵埃とともに吸い込まれた空気、すなわち含塵空気は、床ブラシ92、延長管91、吸込口体部83、ホース体82と移動し、このホース体82の内面に沿って緩やかに屈曲しながら、ホース体82の下流端から風路体接続部23(シール部61)、導入部67および吸込口77を介して第１遠心分離部32の集塵カップ19(集塵カップ本体66)へと接線方向に沿って吸い込まれる。
【００６３】
また、例えば家具と壁部との間など、床ブラシ92を挿入することができない狭い隙間を掃除するなどの必要に応じて、床ブラシ92を延長管91から取り外して用いることも可能である(図７)。この場合には、保持クランプ89を操作することで床ブラシ92の係止を解除して延長管91から取り外す。そして、使用者は、延長管91の前端部の吸込口部97のブラシ毛部102などを用いながら、この吸込口部97から同様に空気とともに塵埃を吸い込んで被掃除面を掃除する。
【００６４】
一方、例えば、テーブルの上や被掃除面の比較的狭い面積などを掃除する場合には、図５ないし図７に示す状態から、図８に示すように、風路体13においてアタッチメント部84(延長管91および床ブラシ92)を取り外して、本体用ハンドル15を把持して全体を動かしながら掃除をする。
【００６５】
このとき、アタッチメント部84(延長管91)は、保持クランプ89を操作することで吸込口体部83から取り外される。そして、使用者は、本体用ハンドル15を把持して電気掃除機11全体を持ち運びながら、吸込口体部83のブラシ部87などを用いて、この吸込口体部83から空気とともに塵埃を吸い込んで掃除をする。
【００６６】
また、このとき、被掃除面の種類などの必要に応じて、床ブラシ92のみを吸込口体部83に取り付けて用いることも可能である(図９)。この場合には、床ブラシ92の回転管107を吸込口体部83に上流側から挿入することで、保持クランプ89の作用によって床ブラシ92が吸込口体部83に対して気密に接続された状態で保持される。そして、使用者は、被掃除面上に載置した床ブラシ92を電気掃除機11全体とともに被掃除面上で前後に交互に走行させながら被掃除面の電動送風機25の負圧の作用によって吸込口から空気とともに塵埃を吸い込む。また、使用者は、必要に応じて、床ブラシ92の回転ブラシを回転駆動させることで、被掃除面の塵埃を掻き取ったり、被掃除面を磨いたりするなどの掃除補助を行う。
【００６７】
さらに、例えば、天井などの相対的に高い位置を掃除する場合には、図７に示す状態から、図３に示すように、保持部14により風路体13を本体部12から取り外し、本体部12を持ち運びつつこの本体部12に対して風路体13のホース体82を伸張(伸縮)させながら、延長管91の前端部の吸込口部97により掃除をする。
【００６８】
また、例えば、テレビなどの設置物の裏、車両のシート、あるいは階段など、使用者の手元に近い位置を掃除する場合には、図４に示すように、図３に示す状態からさらに延長管91を取り外し、本体部12を持ち運びつつこの本体部12に対して風路体13のホース体82を伸張(伸縮)させながら、吸込口体部83により掃除をする。
【００６９】
これらの図３および図４に示す掃除形態の場合には、クランプ体118を操作することで、このクランプ体118の爪部を保持受部22の係合受部から抜き取った状態で風路体13を本体部12に対して前方へと移動させることにより、保持部14において、風路体用ハンドル17の後端部の連結部117が本体部12の保持受部22から離間され、接続凸部122が保持受部22から抜き取られる。
【００７０】
そして、一方の手で本体用ハンドル15を把持して本体部12を持ち上げつつ、他方の手で風路体用ハンドル17を把持して、基本的にはホース体82を伸縮させて風路体13のみを動かしながら、吸込口部97のブラシ毛部102、あるいは吸込口体部83のブラシ部87などを用いて、空気とともに塵埃を吸い込んで掃除をする。
【００７１】
なお、ホース体82の伸張のみで充分に届く範囲を掃除する場合、あるいはベッドの下などを掃除する場合などには、本体部12は本体用ハンドル15を把持して持ち上げることなく、被掃除面上に載置した状態などとしてもよい。このとき、リブ75が被掃除面に当たることで、集塵カップ19の下部の排気開口76が被掃除面から離間されてこの被掃除面によって閉塞されず、排気筒部74(排気開口76)からの排気が妨げられることがない。
【００７２】
そして、第１遠心分離部32の集塵カップ19(集塵カップ本体66)に吸い込まれた含塵空気は、集塵カップ19(集塵カップ本体66)の内周面と分離体部33の分離体部本体41の外周面との間で旋回されて特に大きい塵埃(粗塵)が自重により空気から遠心分離され、集塵カップ本体66の内周面に沿って落下して集塵カップ本体66の塵埃溜め部71に捕集される。この塵埃は、集塵カップ本体66内の旋回流の一部が圧縮部43の下端部から圧縮開口47(圧縮フィルタ48)を通過することによって圧縮フィルタ48に押し付けられて圧縮され、圧縮部43の内部に溜まる。
【００７３】
塵埃が遠心分離された空気は、分離フィルタ45を通過しつつ開口44に流入する。この開口44(分離フィルタ45)を通過した空気は、排気部42の滑らかな円筒状の外周によって整流されつつ連通風路部35を通過することで、この連通風路部35と隔壁64によって区画された電動送風機室26を直接冷却することにより、この電動送風機室26内に収容された電動送風機25の電動部25aおよび遠心ファン25bを間接的に冷却する。さらに、この連通風路部35を通過した空気は、吸込開口部37aを介して第２遠心分離部36(分離筒部37)へと流入し、この第２遠心分離部36において分離筒部37の内周面に沿って旋回されて細塵がさらに遠心分離される。この分離された細塵は、分離筒部37の下端部の塵埃排出口37bから集塵カップ19の細塵受け部68へと落下して捕集される。すなわち、集塵カップ本体66と細塵受け部68とで、粗塵と細塵とが別個に捕集される。この細塵が分離された空気は、分離筒部37の上端部の排出筒部49の排出開口部49aから風路部38へと流出し、この風路部38を介して電動送風機25の吸気口25cへと吸い込まれる。
【００７４】
そして、この電動送風機25に吸い込まれた空気は、遠心ファン25bの中央部から吸い込まれてこの遠心ファン25bの外周から径方向に吹き出され、さらに電動部25aの内部を通過してこの電動送風機25(遠心ファン25bおよび電動部25a)を直接冷却しつつ排気風となり、排気口から電動送風機室26内へと排出された後、この電動送風機室26の下部の排出開口65から排気部42および排気筒部74の滑らかな内周面によって整流されつつ分離体部33の内方を通過して排気開口76から集塵カップ19(本体部12)の外方である下方へと排出される。
【００７５】
掃除が終了すると、使用者は設定ボタン135を操作して電動送風機25を停止させる。
【００７６】
また、塵埃を廃棄する際には、クランプ70を操作して集塵カップ19を本体ケース18(取付開口部31)から取り外し、ごみ箱などの上で集塵カップ19を上下逆さにして塵埃溜め部71および細塵受け部68の塵埃を排出する。
【００７７】
以上説明した一実施形態によれば、電動送風機25を収容した電動送風機室26の外側部(外周部)に沿って、第１遠心分離部32と第２遠心分離部36とを連通する連通風路部35を配置することで、連通風路部35を通過する、電動送風機25に吸い込まれる前のいわば冷たい空気が電動送風機室26とともに電動送風機25を冷却する。したがって、電動送風機25に吸い込まれる空気とともに電動送風機25を内外から効果的に冷却でき、電動送風機25をより効率よく冷却できる。
【００７８】
特に、連通風路部35を電動送風機室26と第２遠心分離部36との間に配置することで、電動送風機室26とともに電動送風機25を効率よく冷却できるだけでなく、電動送風機25(電動送風機室26)から径方向へと漏れる騒音が連通風路部35および第２遠心分離部36によって遮られることとなる。すなわち、連通風路部35、および、第２遠心分離部36を構成する分離筒部37の外周部がそれぞれ遮音壁となり、静音性をより向上できる。さらに、第２遠心分離部36の分離筒部37は、第１遠心分離部32で分離する塵埃よりも小さい塵埃を遠心分離するために流速を高めるように径寸法を比較的小さく設定しているので、第２遠心分離部36を電動送風機25(電動送風機室26)の側方に配置しても本体部12が大型化しにくいとともに、隔壁64だけでなく、第２遠心分離部36の分離筒部37の外周部が電動送風機25(電動送風機室26)に対向する部分(連通風路部35の外側部をなす隔壁部50)と、その反対側の部分とで２重に遮音をすることとなる。すなわち、電動送風機25(電動送風機室26)から径方向に漏れた騒音は、連通風路部35および分離筒部37の外周部によって多重に遮られることとなる。この結果、静音性をより確実に向上できる。
【００７９】
そして、電動送風機25において空気を吸い込んでいる状態では、給電により駆動する電動部25aの発熱が最も大きくなるため、この電動部25aを含む電動送風機25全体を覆う電動送風機室26を冷却することにより、最も発熱が大きい電動部25aを、この電動部25a内を通過する空気による直接冷却に加えて、連通風路部35を通過する空気によって間接的に冷却できるので、電動送風機25の冷却効率をより向上できる。
【００８０】
しかも、第２遠心分離部36が、電動送風機25の周囲の少なくとも一部、本実施形態では電動送風機25の前方および後方に複数配置されているので、電動送風機25の前後を連通風路部35それぞれと複数の第２遠心分離部36によって囲んだ状態となる。このため、これら連通風路部35、および、第２遠心分離部36の分離筒部37が、電動送風機25から漏れる騒音をより確実に遮音し、静音性をより確実に向上できる。
【００８１】
さらに、電動送風機室26と連通風路部35とを区画する隔壁64が、これら電動送風機室26と連通風路部35とのそれぞれの一部をなす共通の壁部であるため、連通風路部35を通過する空気により電動送風機室26が直接冷却されることとなる。したがって、この電動送風機室26に収容された電動送風機25の冷却効率をより向上できる。
【００８２】
また、第２遠心分離部36の分離筒部37を、連通風路部35を構成する隔壁64と一体に形成することで、連通風路部35および電動送風機室26(電動送風機25)に対する各第２遠心分離部36の分離筒部37の距離のバランスを一定に維持でき、効率および吸気バランスを向上できる。
【００８３】
そして、電動送風機25および第２遠心分離部36を第１遠心分離部32の上方に配置することで、例えば第１遠心分離部の側方に電動送風機や第２遠心分離部を配置する場合などと比較して、それぞれの配置スペースを確保でき、本体部12(電気掃除機11)の大型化を抑制できる。特に、第１遠心分離部32は、粗塵を遠心分離するために相対的に径寸法を大きく設定しているので、電動送風機25および第２遠心分離部36の側方から外れた位置に第１遠心分離部32を配置することで、本体部12(電気掃除機11)の大型化を効果的に抑制できる。
【００８４】
なお、上記一実施形態において、第２遠心分離部36は電動送風機25の前後に３つずつ、すなわち複数配置したが、その配置する個数は任意に設定できる。
【００８５】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００８６】
11    電気掃除機
25    電動送風機
26    電動送風機室
32    第１遠心分離部
35    連通風路部
36    第２遠心分離部
37    分離筒部
39    分離部
64    隔壁
【図１】
2018140233.tif 000003
【図２】
2018140233.tif 000004
【図３】
2018140233.tif 000005
【図４】
2018140233.tif 000006
【図５】
2018140233.tif 000007
【図６】
2018140233.tif 000008
【図７】
2018140233.tif 000009
【図８】
2018140233.tif 000010
【図９】
2018140233.tif 000011